【手続補正書】
【提出日】平成15年8月12日(2003.8.12)
【手続補正１】
【補正対象書類名】明細書
【補正対象項目名】特許請求の範囲
【補正方法】変更
【補正の内容】
【特許請求の範囲】
【請求項１】
ベルトと、
前記ベルトに圧接して前記ベルトの表面側にニップを形成する加圧手段と、
透磁性を有し前記ベルトを移動可能に懸架する発熱ローラと、
前記発熱ローラ内部に設置した導電性部材と、
前記ベルトを介して外部から、前記発熱ローラを励磁する励磁手段と、を有し、
前記導電性部材は、第１の位置と、この第１の位置とは異なる第２の位置とを取ることを特徴とする像加熱装置。
【請求項２】
透磁性を有する発熱ローラと、
前記発熱ローラに圧接してニップを形成する加圧部材と、
前記発熱ローラ内部に配置した導電性部材と、
前記発熱ローラの外部から前記発熱ローラを励磁する励磁手段と、を有し、
前記導電性部材は、第１の位置と、この第１の位置とは異なる第２の位置とを取ることを特徴とする像加熱装置。
【請求項３】
導電性部材は、第１の位置と第２の位置とを切り替える切替手段を有する請求項１ないし２の何れかひとつに記載の像加熱装置。
【請求項４】
導電性部材は、第１の位置では前記励磁手段から近い位置にあり、第２の位置では前記励磁手段から遠い位置にあることを特徴とする請求項１ないし３の何れかひとつに記載の像加熱装置。
【請求項５】
導電性部材は、通常動作時には第１の位置にあることを特徴とする請求項１ないし４の何れかひとつに記載の像加熱装置。
【請求項６】
導電性部材は、発熱ローラ内面からの距離がほぼ等しい円弧部を有する断面略半円状とすることを特徴とする請求項１ないし５の何れかひとつに記載の像加熱装置。
【請求項７】
前記導電性部材の円弧部は、第１の位置では前記励磁手段と対向し、第２の位置では対向しないことを特徴とする請求項６記載の像加熱装置。
【請求項８】
導電性部材の幅方向の長さは、発熱ローラの励磁幅とほぼ同等もしくはそれ以下である請求項１ないし７の何れかひとつに記載の像加熱装置。
【請求項９】
導電性部材は、被記録材に対応する位置で、前記被記録材の最小幅の外でかつ、発熱ローラの励磁範囲とほぼ同等もしくはそれ以下に形成したことを特徴とする請求項１ないし８の何れかひとつに記載の像加熱装置。
【請求項１０】
ベルトと、
前記ベルトに圧接して前記ベルトの表面側にニップを形成する加圧手段と、
透磁性を有し前記ベルトを移動可能に懸架する発熱ローラと、
前記ベルトを介して外部から前記発熱ローラを励磁する励磁手段と、を有し、
前記発熱ローラは、
前記励磁手段から発生する磁束が前記発熱ローラ内を貫通することにより前記発熱ローラが発熱する第１の発熱状態と、
前記励磁手段から発生する磁束の一部が前記発熱ローラを透過して前記発熱ローラ内部で発散する一方、残りの磁束が前記発熱ローラ内を貫通することにより前記発熱ローラが発熱する第２の発熱状態と、を取り得る
ことを特徴とする像加熱装置。
【請求項１１】
透磁性を有する発熱ローラと、
前記発熱ローラに圧接してニップを形成する加圧部材と、
前記発熱ローラの外部から前記発熱ローラを励磁する励磁手段とを有し、
前記発熱ローラは、
前記励磁手段から発生する磁束が前記発熱ローラ内を貫通することにより前記発熱ローラが発熱する第１の発熱状態と、
前記励磁手段から発生する磁束の一部が前記発熱ローラを透過して前記発熱ローラ内部で発散する一方、残りの磁束が前記発熱ローラ内を貫通することにより前記発熱ローラが発熱する第２の発熱状態と、を取り得る
ことを特徴とする像加熱装置。
【請求項１２】
透磁性を有する発熱ローラと、
前記発熱ローラに圧接してニップを形成する加圧部材と、
前記発熱ローラの外部から前記発熱ローラを励磁する励磁手段と、
前記発熱ローラ内部に設けられ、被記録材に対応する位置で、前記被記録材の最小幅の外側でかつ、発熱ローラの励磁範囲とほぼ同等もしくはそれ以下の位置に配置される導電性部材と、
を有することを特徴とする像加熱装置。
【請求項１３】
被記録材に未定着画像を形成担持させる画像形成手段と、未定着画像を被記録材に熱定着させる熱定着装置とを有する画像形成装置であって、熱定着装置が請求項１ないし１２の何れかひとつに記載の像加熱装置であることを特徴とする画像形成装置。
【手続補正２】
【補正対象書類名】明細書
【補正対象項目名】００１７
【補正方法】変更
【補正の内容】
【００１７】
【課題を解決するための手段】
上記課題を解決するために、本発明は、ベルトと、前記ベルトに圧接して前記ベルトの表面側にニップを形成する加圧手段と、透磁性を有し前記ベルトを移動可能に懸架する発熱ローラと、前記発熱ローラ内部に設置した導電性部材と、前記ベルトを介して外部から、前記発熱ローラを励磁する励磁手段と、を有し、前記導電性部材は、第１の位置と、この第１の位置とは異なる第２の位置とを取ることを特徴とする像加熱装置と、これを用いた画像形成装置である。


【手続補正３】
【補正対象書類名】明細書
【補正対象項目名】００１８
【補正方法】変更
【補正の内容】
【００１８】
また本発明は、透磁性を有する発熱ローラと、前記発熱ローラに圧接してニップを形成する加圧部材と、前記発熱ローラ内部に配置した導電性部材と、前記発熱ローラの外部から前記発熱ローラを励磁する励磁手段と、を有し、前記導電性部材は、第１の位置と、この第１の位置とは異なる第２の位置とを取ることを特徴とする像加熱装置とこれを用いた画像形成装置である。


【手続補正４】
【補正対象書類名】明細書
【補正対象項目名】００１９
【補正方法】変更
【補正の内容】
【００１９】
また本発明は、導電性部材の第１の位置と第２の位置とを切り替える切替手段を有する像加熱装置とこれを用いた画像形成装置である。


【手続補正５】
【補正対象書類名】明細書
【補正対象項目名】００２０
【補正方法】変更
【補正の内容】
【００２０】
また本発明は、導電性部材は、第１の位置では前記励磁手段から近い位置にあり、第２の位置では前記励磁手段から遠い位置にあることを特徴とする像加熱装置とこれを用いた画像形成装置である。


【手続補正６】
【補正対象書類名】明細書
【補正対象項目名】００２１
【補正方法】変更
【補正の内容】
【００２１】
また本発明は、導電性部材は、通常動作時には第１の位置にあることを特徴とする像加熱装置とこれを用いた画像形成装置である。


【手続補正７】
【補正対象書類名】明細書
【補正対象項目名】００２２
【補正方法】変更
【補正の内容】
【００２２】
また本発明は、導電性部材は、発熱ローラ内面からの距離がほぼ等しい円弧部を有する断面略半円状とすることを特徴とする像加熱装置とこれを用いた画像形成装置である。


【手続補正８】
【補正対象書類名】明細書
【補正対象項目名】００２５
【補正方法】変更
【補正の内容】
【００２５】
また本発明は、導電性部材は、被記録材に対応する位置で、前記被記録材の最小幅の外でかつ、発熱ローラの励磁範囲とほぼ同等もしくはそれ以下に形成したことを特徴とする像加熱装置とこれを用いた画像形成装置である。
また本発明は、ベルトと、前記ベルトに圧接して前記ベルトの表面側にニップを形成する加圧手段と、透磁性を有し前記ベルトを移動可能に懸架する発熱ローラと、前記ベルトを介して外部から前記発熱ローラを励磁する励磁手段と、を有し、前記発熱ローラは、前記励磁手段から発生する磁束が前記発熱ローラ内を貫通することにより前記発熱ローラが発熱する第１の発熱状態と、前記励磁手段から発生する磁束の一部が前記発熱ローラを透過して前記発熱ローラ内部で発散する一方、残りの磁束が前記発熱ローラ内を貫通することにより前記発熱ローラが発熱する第２の発熱状態と、を取り得ることを特徴とする像加熱装置と、これを用いた画像形成装置である。
また本発明は、透磁性を有する発熱ローラと、前記発熱ローラに圧接してニップを形成する加圧部材と、前記発熱ローラの外部から前記発熱ローラを励磁する励磁手段とを有し、前記発熱ローラは、前記励磁手段から発生する磁束が前記発熱ローラ内を貫通することにより前記発熱ローラが発熱する第１の発熱状態と、前記励磁手段から発生する磁束の一部が前記発熱ローラを透過して前記発熱ローラ内部で発散する一方、残りの磁束が前記発熱ローラ内を貫通することにより前記発熱ローラが発熱する第２の発熱状態と、を取り得ることを特徴とする像加熱装置と、これを用いた画像形成装置である。
また本発明は、透磁性を有する発熱ローラと、前記発熱ローラに圧接してニップを形成する加圧部材と、前記発熱ローラの外部から前記発熱ローラを励磁する励磁手段と、前記発熱ローラ内部に設けられ、被記録材に対応する位置で、前記被記録材の最小幅の外側でかつ、発熱ローラの励磁範囲とほぼ同等もしくはそれ以下の位置に配置される導電性部材と、を有することを特徴とする像加熱装置と、これを用いた画像形成装置である。